(57)【要約】【課題】耐風圧強度を確保できるフロントサッシを提供する。【解決手段】本発明にかかるフロントサッシ１は、縦骨（縦材）１５と、カバー材受け３１と、カバー材３３と、補強材３５とを備え、カバー材受け３１は、補強材受け部３１ａと係合部３１ｂと補強材固定部３１ｃとを有し、補強材受け部３１ａを縦骨１５の見付面１５ｃにねじ３７で固定してあり、補強材３５は、見付面３８をカバー材受け３１の補強材受け部３１ａに当接し、側面３４を補強材固定部３１ｃに当接してねじ４１で固定してあり、カバー材３３は補強材３５を覆ってカバー材受け３１の係合部３１ｂに係合して取付けてある。【選択図】図１
2018197467.tif 000002
【特許請求の範囲】
【請求項１】
縦材と、カバー材受けと、カバー材と、補強材とを備え、カバー材受けは、補強材受け部と係合部と補強材固定部とを有し、補強材受け部を縦材の見付面にねじで固定してあり、補強材は、見付面をカバー材受けの補強材受け部に当接し、側面を補強材固定部に当接してねじで固定してあり、カバー材は補強材を覆ってカバー材受けの係合部に係合して取付けてあることを特徴とするフロントサッシ。
【発明の詳細な説明】
【技術分野】
【０００１】
本発明は、フロントサッシに関する。
【背景技術】
【０００２】
非特許文献１には、店舗等の建物の前面に設けたフロントサッシが開示されている。
この種のフロントサッシでは、大開口が求められることがある。
【先行技術文献】
【非特許文献】
【０００３】
【非特許文献１】第１４６頁「三協アルミ  ＳＴフロント  総合カタログ」カタログＮｏ．ＳＴＢ０２６７Ｆ  三協立山株式会社  三協アルミ社  ２０１２年  ８月発行
【発明の概要】
【発明が解決しようとする課題】
【０００４】
このような大開口のフロントサッシでは、耐風圧強度が求められることがある。
【０００５】
そこで、本発明は、耐風圧強度を確保できるフロントサッシの提供を目的とする。
【課題を解決するための手段】
【０００６】
請求項１に記載の発明は、縦材と、カバー材受けと、カバー材と、補強材とを備え、カバー材受けは、補強材受け部と係合部と補強材固定部とを有し、補強材受け部を縦材の見付面にねじで固定してあり、補強材は、見付面をカバー材受けの補強材受け部に当接し、側面を補強材固定部に当接してねじで固定してあり、カバー材は補強材を覆ってカバー材受けの係合部に係合して取付けてあることを特徴とするフロントサッシである。
【発明の効果】
【０００７】
請求項１に記載の発明によれば、縦材にカバー材受けを介して補強材を連結しているので、大開口のフロントサッシの耐風圧強度を確保できる。
縦材にねじ固定したカバー材受けに、補強材をねじ止めし、補強材を覆うカバー材を係合して取付けているので、施工性及び意匠性が良い。
【図面の簡単な説明】
【０００８】
【図１】本発明の実施の形態にかかるフロントサッシであって、図４に示すＡ−Ａ断面図である。
【図２】本発明の実施の形態にかかるフロントサッシであって、図４に示すＢ−Ｂ断面図である。
【図３】本発明の実施の形態にかかるフロントサッシであって、図４に示すＣ−Ｃ断面図である。
【図４】本発明の実施の形態にかかるフロントサッシを室内側から見た正面図である。
【図５】本発明の実施の形態にかかるフロントサッシの変形例であって、縦材及びその室外側部分を示す横断面図である。
【図６】本発明の実施の形態にかかるフロントサッシの変形例であって、図２に対応する部分の縦断面図である。
【発明を実施するための形態】
【０００９】
以下に、図１〜図４を参照して本発明の実施の形態を説明する。  
図４に示すように、本実施の形態にかかるフロントサッシ１は、店舗の前面に設けてあり、左右のＦＩＸサッシユニット６と、中央の出入り口ユニット２が方立３を介して左右に連結してある。各ＦＩＸサッシユニット６には、それぞれ無目１３ａを介して上下にＦＩＸサッシ４が設けてある。尚、左側及び右側は、図４における左側及び右側である。
出入り口ユニット２は、上枠７と、下枠９と左右の縦枠１１ａ、１１ｂ（図３参照）とで形成してあり、上枠７と下枠９との間には無目１３が設けてあり、無目１３は左右の縦枠１１ａ、１１ｂ間に架設されている。
また、左右の方立３、３間には、左右の縦骨（縦材）１５、１５（図１参照）が互いに間隔をあけて配置してあり、各縦骨１５は、無目１３と下枠９との間に架設されている。
各縦骨１５、１５の上方で、無目１３と上枠７との間には、左右の吊り束１７、１７が設けてある。
出入り口５は、両引き込み戸であり、近寄ってくる人を検知すると左右の引き込み戸２１、２１が自動で開閉される自動ドアである。両引き込み戸２１、２１の移動範囲に亘って、下枠９には、レール２３（図２参照）が設けてある。
出入り口５の周囲に設けたパネルはＦＩＸパネル２５である。
図４に示すフロントサッシ１には、上述したように、縦骨１５と方立３が設けてあり、第１実施の形態にかかるフロントサッシ１の縦材が縦骨１５であり、第２実施の形態にかかるフロントサッシ１の縦材が方立３である。
【００１０】
次に、縦材として縦骨１５を用いた第１実施の形態にかかるフロントサッシ１について説明するが、左右の縦骨１５、１５は略同じ構成であるから、図４に示す左側の縦骨１５のみについて説明し、右側の縦骨１５の説明は省略する。
図１に示すように、縦骨１５には、カバー材受け３１と、カバー材３３と、補強材３５とが設けてある。
図２及び図４に破線で示すように、縦骨１５は上端１５ａを無目１３の下面に、下端１５ｂを下枠９の室外側の位置に配置しており、図１に示すように、上端１５ａは取付金具２７を介して無目１３の下面に固定してある。下端１５ｂは、図２に一点鎖線で抜き出して示すように、下枠９にレール２３と共にねじ２９で固定してある。
図１に示すように、縦材１５の室外側見付面１５ｃには、カバー材受け３１が配置されている。
【００１１】
カバー材受け３１は、下枠９から上枠７に亘って設けてあり、縦材１５よりも長い寸法の長尺材であり、補強材受け部３１ａと係合部３１ｂと補強材固定部３１ｃとを有している。補強材受け部３１ａは縦材１５の室外側見付面１５ｃにねじ３７で固定していると共に、無目１３及び吊り束１７の室外側見付面にもねじ３７で固定している。
係合部３１ｂは、補強材受け部３１ａを挟む左右端部にそれぞれ形成されている。各係合部３１ｂは室外側端部３９を補強材３５に向けて傾斜している。
補強材受け部３１ａの左右方向の一側（本実施の形態では図１において右側）には、補強材固定部３１ｃが設けてある。補強材固定部３１ｃは、室外側に向けて突設した突条片である。
【００１２】
補強材３５は、２つの断面コ字形状のチャンネル材３６を、互いに開口を対向させて組み合わせたものを溶接固定してあり、全体として四角筒形状を成している。補強材３５は、室内側見付面３８をカバー材受け３１の補強材受け部３１ａに当接し、側面３４をカバー材受け３１の補強材固定部３１ｃに当接して補強材固定部３１ｃにねじ４１で固定してある。
図２に示すように、補強材３５は下端３５ａが地面Ｇに埋め込まれており、上端３５ｂは上枠７の室外側に設けた軒５１の下面に対向して配置してある。
【００１３】
図１に示すように、カバー材３３は、補強材３５を室外側から覆ってカバー材受け３１に取り付けてある。図２に示すように、カバー材３３の下端３３ａは地面Ｇに埋め込まれており、上端３３ｂは軒５１の下面に対向して配置してある。軒５１とカバー材３３の上端３３ｂとの間はシール材４６でシールしてある。
図１に示すように、カバー材３３は、水平断面において、室内側を開口した略コ字形状を成しており、左右の室内側端部にはそれぞれ、カバー材受け３１の係合部３１ｂに係合する被係合部４５が形成されている。
被係合部４５はカバー材３３の内側に向けて突設してあり、先端部４７には室内側ほど補強材受け部３１ａ側に向けて傾斜した傾斜面４７ａが形成してある。
【００１４】
次に、補強材３５及びカバー材３３の取り付けについて説明する。
縦骨１５の室外側見付面１５ｃと、無目１３及び吊り束１７の室外側見付面とに、カバー材受け３１の補強材受け部３１ａを室外側から当てて、室外側から止めるねじ３７でカバー材受け３１を縦材１５、無目１３及び吊り束１７に止める。ねじ３７は上下方向に所定間隔をあけて止める。
次に、カバー材受け３１の室外側において、補強材３５の室内側見付面３８をカバー材受け３１の補強材受け部３１ａに当て、補強材固定部３１ｃに補強材３５の側面３４を当てて配置した後、補強材固定部３１ｃにねじ４１で補強材３５の側面３４を固定する。
その後、カバー材３３の左右の被係合部４５をカバー材受け３１の対応する係合部３１ｂの室外側端部３９に当接するようにして押し付けることで、被係合部４５の傾斜面４７ａが係合部３１ｂの室外側端部３９に当接して移動し、被係合部４５が弾性変形した後、傾斜面４７ａが室外側端部３９を乗り越えたところで弾性復帰して係合する。これにより、カバー材受け３１にカバー材３３が取り付けられる。
【００１５】
本発明の実施の形態にかかるフロントサッシ１の作用効果について説明する。
図１に示すように、フロントサッシ１によれば、縦骨（縦材）１５にカバー材受け３１を介して補強材３５を連結しているので、大開口のフロントサッシ１の耐風圧強度を確保できる。
縦材１５にねじ３７で固定したカバー材受け３１の補強材固定部３１ｃに、補強材３５をねじ４１で止め、補強材３５を覆うカバー材３３を係合により取付けているので、施工性及び意匠性が良い。
【００１６】
カバー材受け３１は、カバー材３３との係合部３１ｂ、３１ｂと、補強材固定部３１ｃとを有しているから、一つの部材でカバー材３３の取り付けと、補強材３５の固定ができるので、部品点数が少なくて済み且つ作業性が良い。
補強材３５は、室内側見付面（見付面）３８をカバー材受け３１の補強材受け部３１ａに当接し、側面３４を補強材固定部３１ｃに当接しているから、補強材３５の２面をカバー材受け３１に当接しているので、補強材３５を安定に保持できる。
補強材３５は補強材固定部３１ｃに側方から止めるねじ４１で固定しているので、施工性が良い。即ち、補強材３５を見込み方向のねじで止める場合には、補強材３５の室内側見込み壁をカバー材受け３１に固定することになり、室外側見込み壁にねじ及び工具を挿入する孔を形成する必要があるが、そのような加工が不要である。
図２に示すように、縦骨１５は、下端１５ｂを引き込み戸２１のレール２３に固定し、上端１５ａを無目１３に固定しているので、縦骨１５の取付けが容易にできる。
図１に示すように、カバー材３３の被係合部４５は弾性変形と後弾性復帰によりカバー材受け３１の係合部３１ｂに係合しているから、カバー材３３をカバー材受け３１に押し付けるだけで容易に取り付けできる。
【００１７】
次に、縦材として方立３を用いた第２実施の形態にかかるフロントサッシ１について説明する。以下の説明では、左右の方立３、３は略同じ構成であるから、図４に示す左側の方立３のみについて説明し、右側の方立３の説明は省略する。更に、上述した第１実施の形態にかかるフロントサッシ１と同一の作用効果を奏する部分には同一の符号を付することにより、その部分の詳細な説明を省略し、以下の説明では縦材として縦骨１５を用いた第１実施の形態にかかるフロントサッシ１と異なる点について説明する。
図３に示すように、方立３は、水平断面において左右が開口するＨ型形状を成し、左右の開口には左のＦＩＸサッシ４の右縦枠１１ａと、隣りのＦＩＸパネル２５を固定する左縦枠１１ｂとが取り付けてある。
方立３は、上枠７から下枠９まで亘る長さを有することが第１実施の形態にかかるフロントサッシ１の縦骨５と異なっている。
第２実施の形態にかかるフロントサッシ１のその他の構成は、上述した第１実施の形態と同様である。
縦材として方立３を用いた第２実施の形態にかかるフロントサッシ１においても、上述した縦材として縦骨１５を用いた第１実施の形態にかかるフロントサッシ１と同様の作用効果を奏することができる。
【００１８】
本発明は、上述した実施の形態に限らず、本発明の要旨を逸脱しない範囲で種々変形可能である。  
例えば、補強材３５は、２つのチャンネル材３６、３６を連結して構成することに限らず、図５に示すように１つの角筒としても良いし、１つのチャンネル材３６やアングル材であっても良く、カバー材受け３１の補強材受け部３１ａと補強材固定部３１ｃとに当接する２つの面を有するものであれば、形状は限定されない。  
上枠７の室外側には軒１を設けることに限らず、図６に示すように、雨切り４３を設けて、カバー材３３の上端３３ｂは雨切り４３の下面４３ａに対向させて配置して、雨切り４３との間をシール材４６でシールしても良い。
補強材固定部３１ｃは、カバー材受け３１において補強材受け部３１ａの左右一側に設けることに限らず、左右の両方に設けても良い。
縦材として方立３を用いた第２実施の形態にかかるフロントサッシ１では、カバー材受け３１を方立３の室内側見付面に取り付け、補強材３５及びカバー材３３を方立３の室内側に取り付ける構成にしても良い。更に、引き込み戸２１、２１を出入り口ユニット２の室外側に設ける場合には、縦骨１５の室内側に補強材３５を設けても良い。
フロントサッシ１は、店舗の出入り口に設けることに限らず、ビルの出入り口等に設けても良い。
【符号の説明】
【００１９】
１    フロントサッシ
３    方立（縦材）
１５  縦骨（縦材）
１５ｃ  室外側見付面（見付面）
３１  カバー材受け
３１ａ  補強材受け部
３１ｂ  係合部
３１ｃ  補強材固定部
３３  カバー材
３４  側面（補強材の側面）
３５  補強材
３７  ねじ（カバー材受けを固定するねじ）
３８  室内側見付面（補強材の見付面）
４１  ねじ（補強材を固定するねじ）
【図１】
2018197467.tif 000003
【図２】
2018197467.tif 000004
【図３】
2018197467.tif 000005
【図４】
2018197467.tif 000006
【図５】
2018197467.tif 000007
【図６】
2018197467.tif 000008